(57)【要約】【課題】原稿情報に含まれている秘匿情報が漏洩するリスクを抑える。【解決手段】本発明は、原稿を読み取って原稿情報を取得する読取部と、原稿情報と、原稿情報を読み取った読取部の位置を示す第１の位置情報と、を関連付けて記憶する記憶部と、原稿情報を印刷する印刷部と、原稿情報を識別する情報と、原稿情報を印刷する印刷部の位置を示す第２の位置情報と、を含む印刷要求を受信する通信部と、第１の位置情報の一部又は全部が、第２の位置情報の一部又は全部と一致した場合、原稿情報の印刷を許可する判定部と、を備える。【選択図】図１
2015128280.tif 000002
【特許請求の範囲】
【請求項１】
原稿を読み取って原稿情報を取得する読取部と、
前記原稿情報と、前記原稿情報を読み取った前記読取部の位置を示す第１の位置情報と、を関連付けて記憶する記憶部と、
前記原稿情報を印刷する印刷部と、
前記原稿情報を識別する情報と、前記原稿情報を印刷する前記印刷部の位置を示す第２の位置情報と、を含む印刷要求を受信する通信部と、
前記第１の位置情報の一部又は全部が、前記第２の位置情報の一部又は全部と一致した場合、前記原稿情報の印刷を許可する判定部と、
を備える画像処理システム。
【請求項２】
前記第１の位置情報を、前記原稿情報に関連付けるか否かを示す入力を受け付ける操作部を更に備え、
前記判定部は、前記第１の位置情報が、前記原稿情報に関連付けられて前記記憶部に記憶されていない場合、前記原稿情報の印刷を許可する
請求項１に記載の画像処理システム。
【請求項３】
前記操作部は、前記原稿情報の印刷を許可する前記印刷部の位置情報の範囲を示す入力を更に受け付け、
前記記憶部は、前記印刷部の位置情報の範囲を、前記原稿情報に更に関連付けて記憶し、
前記判定部は、前記印刷部の位置情報の範囲と、前記第２の位置情報と、に基づいて印刷を許可するか否かを判定する
請求項１又は２に記載の画像処理システム。
【請求項４】
前記判定部が前記原稿情報の印刷を許可しなかった場合、前記操作部又は前記画像処理システムの管理者の端末に、印刷が許可されなかった前記印刷要求の情報を通知する通知部を更に備える請求項１乃至３のいずれか１項に記載の画像処理システム。
【請求項５】
前記操作部は、前記原稿情報のうち印刷を許可しない部分の情報を示す秘匿情報を指定する入力を更に受け付け、
前記記憶部は、前記秘匿情報を、前記原稿情報に更に関連付けて記憶し、
前記印刷部は、前記判定部が印刷を許可しない場合に、前記原稿情報に含まれる前記秘匿情報を識別できないようにして印刷する
請求項１乃至４のいずれか１項に記載の画像処理システム。
【請求項６】
前記原稿は名刺である請求項１乃至５のいずれか１項に記載の画像処理システム。
【請求項７】
読取部が、原稿を読み取って原稿情報を取得するステップと、
記憶部が、前記原稿情報と、前記原稿情報を読み取った前記読取部の位置を示す第１の位置情報と、を関連付けて記憶するステップと、
印刷部が、前記原稿情報を印刷するステップと、
通信部が、前記原稿情報を識別する情報と、前記原稿情報を印刷する前記印刷部の位置を示す第２の位置情報と、を含む印刷要求を受信するステップと、
判定部が、前記第１の位置情報の一部又は全部が、前記第２の位置情報の一部又は全部と一致した場合、前記原稿情報の印刷を許可するステップと、
を含む画像処理方法。
【発明の詳細な説明】
【技術分野】
【０００１】
本発明は画像処理システム及び画像処理方法に関する。
【背景技術】
【０００２】
ＭＦＰ（Ｍｕｌｔｉ  Ｆｕｎｃｔｉｏｎ  Ｐｒｉｎｔｅｒ）などの画像処理装置、及び情報処理装置を備える画像処理システムが利用されている。また読取装置により原稿から読み取られた原稿情報を記憶し、当該原稿情報に対するアクセスを制御する技術が知られている。例えば特許文献１には、名刺をスキャンして得られた名刺画像に含まれる情報に対するアクセスを制御し、個人情報が漏洩しないようにする情報処理装置が開示されている。
【発明の概要】
【発明が解決しようとする課題】
【０００３】
しかしながら従来の技術では、情報処理装置などに記憶されている原稿情報を任意の画像処理装置で印刷できてしまうため、原稿情報に含まれている個人情報などの秘匿情報が漏洩するリスクが高かった。
【０００４】
本発明は、上記に鑑みてなされたものであって、原稿情報に含まれている秘匿情報が漏洩するリスクを抑えることができる画像処理システム及び画像処理方法を提供することを目的とする。
【課題を解決するための手段】
【０００５】
上述した課題を解決し、目的を達成するために、本発明は、原稿を読み取って原稿情報を取得する読取部と、前記原稿情報と、前記原稿情報を読み取った前記読取部の位置を示す第１の位置情報と、を関連付けて記憶する記憶部と、前記原稿情報を印刷する印刷部と、前記原稿情報を識別する情報と、前記原稿情報を印刷する前記印刷部の位置を示す第２の位置情報と、を含む印刷要求を受信する通信部と、前記第１の位置情報の一部又は全部が、前記第２の位置情報の一部又は全部と一致した場合、前記原稿情報の印刷を許可する判定部と、を備える。
【発明の効果】
【０００６】
本発明によれば、原稿情報に含まれている秘匿情報が漏洩するリスクを抑えることができるという効果を奏する。
【図面の簡単な説明】
【０００７】
【図１】図１は第１実施形態の画像処理システムの例を示す図である。
【図２】図２は第１実施形態の画像処理装置の例を示す図である。
【図３】図３は第１実施形態の読取部が読み取る原稿の例を示す図である。
【図４】図４は第１実施形態のサーバ装置の例を示す図である。
【図５】図５は第１実施形態の管理情報の例を示す図である。
【図６】図６は第１実施形態の原稿読み取り時の処理の例を示すフローチャートである。
【図７】図７は第１実施形態の原稿印刷時の処理の例を示すフローチャートである。
【図８】図８は第１実施形態の画像処理装置のハードウェア構成の一例を示す図である。
【図９】図９は第１実施形態のサーバ装置のハードウェア構成の一例を示す図である。
【図１０】図１０は第２実施形態の画像処理装置のハードウェア構成の例を示す図である。
【発明を実施するための形態】
【０００８】
以下に添付図面を参照して、画像処理システム及び画像処理方法の実施形態を詳細に説明する。
【０００９】
（第１実施形態）
図１は第１実施形態の画像処理システム１００の例を示す図である。第１実施形態の画像処理システム１００は画像処理装置１０−１、画像処理装置１０−２、・・・、画像処理装置１０−Ｎ（Ｎは１以上の整数）、及びサーバ装置２０を備える。画像処理装置１０−１、画像処理装置１０−２、・・・、画像処理装置１０−Ｎ、及びサーバ装置２０はネットワーク３０を介して互いに接続されている。ネットワーク３０の通信方式は有線方式であっても無線方式であってもよい。また有線方式及び無線方式を組み合わせてネットワーク３０を実現してもよい。以下、画像処理装置１０−１、画像処理装置１０−２、・・・、及び画像処理装置１０−Ｎを区別しない場合は単に画像処理装置１０という。
【００１０】
図２は第１実施形態の画像処理装置１０の例を示す図である。第１実施形態の画像処理装置１０は読取部１１、操作部１２、通信部１３及び印刷部１４を備える。画像処理装置１０は、例えばＭＦＰである。
【００１１】
読取部１１は原稿を読み取って原稿情報を取得する。図３は第１実施形態の読取部１１が読み取る原稿の例を示す図である。図３は原稿が名刺である場合の例である。読取部１１は、図３の原稿（名刺）から、会社名、部署、氏名、郵便番号、住所及び電話番号を含む原稿情報を取得する。
【００１２】
図２に戻り、操作部１２は原稿情報を読み取った読取部１１（画像処理装置１０）の位置を示す位置情報（以下「第１の位置情報」という。）を、原稿情報に関連付けるか否かを示す入力を受け付ける。また操作部１２は、原稿情報の印刷を許可する印刷部１４（画像処理装置１０）の位置情報の範囲をユーザーが指定する場合、当該位置情報の範囲を示す入力を受け付ける。また操作部１２は、原稿情報のうち印刷を許可しない部分の情報を示す秘匿情報をユーザーが指定する場合、当該秘匿情報を指定する入力を受け付ける。秘匿情報は、後述のサーバ装置２０（判定部２３）により印刷を許可しないと判定された場合、印刷時に識別できないようにして印刷される。印刷を許可しないと判定された場合、秘匿情報は例えば塗りつぶされて印刷される。また操作部１２は、ユーザーが、後述のサーバ装置２０に記憶されている原稿情報を印刷するときに、印刷対象の原稿情報を指定する入力を受け付ける。なお印刷対象の原稿情報の指示は、ユーザーが使用している情報処理装置などから行ってもよい。
【００１３】
通信部１３は、読取部１１により読み取られた原稿情報をサーバ装置２０に送信する。このとき、操作部１２が、原稿情報を読み取った読取部１１の位置を示す第１の位置情報を、原稿情報に関連付けることを示す入力を受け付けている場合、通信部１３は、原稿情報と共に、原稿情報を読み取った読取部１１の位置を示す第１の位置情報をサーバ装置２０に送信する。なお通信部１３は、ＧＰＳ（Ｇｌｏｂａｌ  Ｐｏｓｉｔｉｏｎｉｎｇ  Ｓｙｓｔｅｍ）を利用して動的に当該第１の位置情報を取得してもよいし、画像処理装置１０に予め設定されている第１の位置情報を取得してもよい。
【００１４】
また通信部１３は、操作部１２が、原稿情報の印刷を許可する印刷部１４の位置情報の範囲を示す入力を受け付けている場合、原稿情報と共に、当該位置情報の範囲を示す情報をサーバ装置２０に送信する。また操作部１２が、秘匿情報を指定する入力を受け付けている場合、通信部１３は、原稿情報と共に、当該秘匿情報をサーバ装置２０に送信する。
【００１５】
また通信部１３は、操作部１２が印刷対象の原稿情報を指定する入力を受け付けたときに、印刷要求をサーバ装置２０に送信する。印刷要求は印刷対象の原稿情報を識別する情報と、原稿情報を印刷する印刷部１４（画像処理装置１０）の位置を示す位置情報（以下「第２の位置情報」という。）と、を含む。印刷対象の原稿情報を識別する情報は、例えば原稿情報のファイル名である。
【００１６】
印刷部１４は、印刷対象の原稿情報のユーザーからの指示に応じて、後述のサーバ装置２０に記憶されている原稿情報を印刷する。
【００１７】
図４は第１実施形態のサーバ装置２０の例を示す図である。第１実施形態のサーバ装置２０は通信部２１、記憶部２２、判定部２３、画像処理部２４及び通知部２５を備える。第１実施形態のサーバ装置２０は画像処理装置１０により読み取られた原稿情報を記憶するＯＣＲ（Ｏｐｔｉｃａｌ  Ｃｈａｒａｃｔｅｒ  Ｒｅａｄｅｒ）サーバ装置である。
【００１８】
通信部２１は、画像処理装置１０が原稿情報を取得したときに、画像処理装置１０から原稿情報を受信する。このとき、通信部２１は、ユーザーの画像処理装置１０の操作入力に応じて、原稿情報と共に、原稿情報を読み取った読取部１１の位置を示す第１の位置情報、原稿情報の印刷を許可する印刷部１４の位置情報の範囲を示す情報、及び秘匿情報を受信する。通信部２１は、画像処理装置１０から受信した原稿情報、原稿情報を読み取った読取部１１の位置を示す第１の位置情報、原稿情報の印刷を許可する印刷部１４の位置情報の範囲を示す情報、及び秘匿情報を記憶部２２に記憶する。
【００１９】
また通信部２１は、画像処理装置１０から、印刷対象の原稿情報を識別する情報と、原稿情報を印刷する印刷部１４の位置を示す第２の位置情報と、を含む印刷要求を受信する。通信部２１は、印刷対象の原稿情報を識別する情報と、原稿情報を印刷する印刷部１４の位置を示す第２の位置情報と、を判定部２３に送信する。
【００２０】
また通信部２１は、後述の判定部２３が原稿情報の印刷を許可した場合、印刷対象の原稿情報を画像処理装置１０に送信する。また通信部２１は、後述の判定部２３が原稿情報の印刷を許可しない場合、当該原稿情報に秘匿情報の指定があるときは、後述の画像処理部２４により秘匿情報を識別できないように画像処理された原稿情報を画像処理装置１０に送信する。
【００２１】
記憶部２２は画像処理装置１０で読み取られた原稿情報と、当該原稿情報に関する管理情報を記憶する。図５は第１実施形態の管理情報の例を示す図である。第１実施形態の管理情報は、原稿識別情報、取得位置情報、印刷可能位置情報及び秘匿情報を有する。原稿識別情報は原稿情報を識別する情報である。原稿識別情報は、例えば原稿情報のファイル名などである。取得位置情報は、原稿情報を読み取った読取部１１の位置を示す第１の位置情報である。印刷可能位置情報は、原稿情報の印刷を許可する印刷部１４の位置情報の範囲を示す情報である。秘匿情報は、原稿情報の印刷が許可されていないユーザーが、当該原稿情報を印刷する時に、識別できないようにする情報である。
【００２２】
図５の例は、図３の原稿（名刺）の原稿情報に対応する管理情報の例である。原稿識別情報には「名刺情報００１」が設定されている。取得位置情報には「東京都中央区Ａ棟１Ｆ」が設定されている。印刷可能位置情報には「東京都中央区Ａ棟１Ｆ〜１０Ｆ」が設定されている。秘匿情報には「山田  太郎」及び「０１２−３４５−ＸＸＸＸ」が設定されている。
【００２３】
図４に戻り、判定部２３は、通信部２１から印刷対象の原稿情報を識別する情報と、原稿情報を印刷する印刷部１４の位置を示す第２の位置情報と、を受信したときに、記憶部２２の管理情報を参照して印刷を許可するか否かを判定する。具体的には、まず、判定部２３は、通信部２１から受信した印刷対象の原稿情報を識別する情報により、管理情報の原稿識別情報を検索し、検索された管理情報（取得位置情報、印刷可能位置情報及び秘匿情報）を取得する。検索された管理情報に取得位置情報がない場合、判定部２３は印刷を許可する。
【００２４】
次に、検索された管理情報に取得位置情報がある場合、判定部２３は原稿情報を印刷する印刷部１４の位置を示す第２の位置情報の一部又は全部が、取得位置情報の一部又は全部と一致するか否かを判定する。一部又は全部と一致する場合、判定部２３は印刷を許可する。
【００２５】
ここで、第２の位置情報の一部が、取得位置情報の一部と一致するか否かを判定する場合について説明する。判定部２３は取得位置情報の一部として判定する文字列を使用して、第２の位置情報の一部が、取得位置情報の一部と一致するか否かを判定する。当該文字列は、例えばサーバ装置２０の設定情報として原稿情報毎に予め定めておく。例えば、印刷対象の原稿情報の当該文字列が、「東京都中央区Ａ棟」であり、第２の位置情報が「東京都中央区Ａ棟１Ｆ」であり、取得位置情報が「東京都中央区Ａ棟３Ｆ」である場合、第２の位置情報の一部が、取得位置情報の一部の文字列である「東京都中央区Ａ棟」と一致する。したがって判定部２３は、第２の位置情報の一部が、取得位置情報の一部と一致すると判定し、当該原稿情報の印刷を許可する。
【００２６】
一部又は全部と一致しない場合、判定部２３は検索された管理情報に印刷可能位置情報があるか否かを判定する。検索された管理情報に印刷可能位置情報がある場合、判定部２３は印刷可能位置情報に、原稿情報を印刷する印刷部１４の第２の位置情報が含まれるか否かを判定する。印刷可能位置情報に、原稿情報を印刷する印刷部１４の第２の位置情報が含まれる場合、判定部２３は印刷を許可する。
【００２７】
次に、印刷可能位置情報に、原稿情報を印刷する印刷部１４の第２の位置情報が含まれない場合、判定部２３は印刷を許可しない。判定部２３は印刷を許可しない場合、検索された管理情報に秘匿情報があるか否かを更に判定する。秘匿情報がある場合、判定部２３は、秘匿情報を識別できなくする画像処理を、後述の画像処理部２４に依頼する。秘匿情報がない場合、判定部２３は印刷を許可しないことを通知する処理を、後述の通知部２５に依頼する。
【００２８】
画像処理部２４は、判定部２３が印刷を許可しない場合、当該原稿情報に秘匿情報があるときは、原稿情報のうち当該秘匿情報を識別できないように画像処理をする。また画像処理部２４は、通信部２１が受信した原稿情報をＯＣＲ処理し、文字データを含む原稿情報として記憶部２２に記憶する。
【００２９】
通知部２５は、判定部２３が原稿情報の印刷を許可しなかった場合、当該原稿情報に秘匿情報がないときは、画像処理装置１０に、印刷が許可されなかった印刷要求の情報を通知する。これによりユーザーは、印刷要求が許可されなかったことを把握することができる。また通知部２５は、判定部２３が原稿情報の印刷を許可しなかった場合、当該原稿情報に秘匿情報がないときは、画像処理システム１００の管理者の端末に、印刷が許可されなかった印刷要求の情報を通知する。これにより管理者は、印刷要求で指定された原稿情報を印刷できないユーザーから印刷要求が送信されたことを把握することができる。
【００３０】
次にフローチャートを参照して第１実施形態の画像処理方法について説明する。図６は第１実施形態の原稿読み取り時の処理の例を示すフローチャートである。
【００３１】
読取部１１は原稿を読み取って原稿情報を取得する（ステップＳ１）。次に、操作部１２は原稿情報を読み取った読取部１１（画像処理装置１０）の位置を示す第１の位置情報を、原稿情報に関連付けるか否かを示す入力を受け付けているか否かを判定する（ステップＳ２）。第１の位置情報を、原稿情報に関連付ける入力を受け付けている場合（ステップＳ２、Ｙｅｓ）、通信部１３は画像処理装置１０の設定情報又はＧＰＳ機能などを利用して読取部１１の第１の位置情報を取得し、当該第１の位置情報を管理情報として原稿情報に関連付ける（ステップＳ３）。原稿情報に関連付ける入力を受け付けていない場合（ステップＳ２、Ｎｏ）、処理はステップＳ４に進む。
【００３２】
次に、操作部１２は、原稿情報の印刷を許可する印刷部１４（画像処理装置１０）の位置情報の範囲を示す入力を受け付けているか否かを判定する（ステップＳ４）。位置情報の範囲を示す入力を受け付けている場合（ステップＳ４、Ｙｅｓ）、通信部１３は操作部１２から位置情報の範囲を示す情報を取得し、当該位置情報の範囲を示す情報を管理情報として原稿情報に関連付ける（ステップＳ５）。位置情報の範囲を示す入力を受け付けていない場合（ステップＳ４、Ｎｏ）、処理はステップＳ６に進む。
【００３３】
次に、操作部１２は、秘匿情報の指定を示す入力を受け付けたか否かを判定する（ステップＳ６）。秘匿情報の指定を示す入力を受け付けている場合（ステップＳ６、Ｙｅｓ）、通信部１３は操作部１２から秘匿情報を取得し、当該秘匿情報を管理情報として原稿情報に関連付ける（ステップＳ７）。秘匿情報の指定を示す入力を受け付けていない場合（ステップＳ６、Ｎｏ）、処理はステップＳ８に進む。
【００３４】
次に、通信部１３は読取部１１により読み取られた原稿情報をサーバ装置２０に送信し、原稿情報に管理情報が関連付けられている場合、原稿情報に管理情報を関連付けてサーバ装置２０に送信する（ステップＳ８）。
【００３５】
図７は第１実施形態の原稿印刷時の処理の例を示すフローチャートである。通信部２１は画像処理装置１０から、印刷対象の原稿情報を識別する情報と、原稿情報を印刷する印刷部１４（画像処理装置１０）の位置を示す第２の位置情報と、を含む印刷要求を受信する（ステップＳ２１）。判定部２３は、通信部２１から受信した印刷対象の原稿情報を識別する情報により、管理情報の原稿識別情報を検索し、検索された管理情報（取得位置情報、印刷可能位置情報及び秘匿情報）を取得する（ステップＳ２２）。
【００３６】
次に、判定部２３は検索された管理情報に取得位置情報があるか否かを判定する（ステップＳ２３）。管理情報に取得位置情報がある場合（ステップＳ２３、Ｙｅｓ）、処理はステップＳ２４に進む。管理情報に取得位置情報がない場合（ステップＳ２３、Ｎｏ）、判定部２３は印刷を許可し、処理はステップＳ３０に進む。
【００３７】
次に、判定部２３は原稿情報を印刷する印刷部１４の位置を示す第２の位置情報の一部又は全部が、取得位置情報の一部又は全部と一致するか否かを判定する（ステップＳ２４）。一部又は全部と一致しない場合（ステップＳ２４、Ｎｏ）、処理はステップＳ２５に進む。一部又は全部と一致する場合（ステップＳ２４、Ｙｅｓ）、判定部２３は印刷を許可し、処理はステップＳ３０に進む。
【００３８】
次に、判定部２３は検索された管理情報に印刷可能位置情報があるか否かを判定する（ステップＳ２５）。検索された管理情報に印刷可能位置情報がある場合（ステップＳ２５、Ｙｅｓ）、処理はステップＳ２６に進む。検索された管理情報に印刷可能位置情報がない場合（ステップＳ２５、Ｎｏ）、判定部２３は印刷を許可せず、処理はステップＳ２７に進む。
【００３９】
次に、判定部２３は印刷可能位置情報に、原稿情報を印刷する印刷部１４の第２の位置情報が含まれるか否かを判定する（ステップＳ２６）。含まれない場合（ステップＳ２６、Ｎｏ）、判定部２３は印刷を許可せず、処理はステップＳ２７に進む。含まれる場合（ステップＳ２６、Ｙｅｓ）、判定部２３は印刷を許可し、処理はステップＳ３０に進む。
【００４０】
次に、判定部２３は検索された管理情報に秘匿情報があるか否かを判定する（ステップＳ２７）。すなわち、判定部２３は原稿情報のうち印刷を許可しない部分を秘匿情報として特定できるか否かを判定する。秘匿情報がない場合（ステップＳ２７、Ｎｏ）、通知部２５は、画像処理装置１０及び画像処理システム１００の管理者の端末に、印刷が許可されなかった印刷要求の情報を通知する（ステップＳ２８）。秘匿情報がある場合（ステップＳ２７、Ｙｅｓ）、画像処理部２４は秘匿情報を識別できなくする画像処理をする（ステップＳ２９）。
【００４１】
通信部２１は印刷対象の原稿情報を画像処理装置１０に送信する（ステップＳ３０）。通信部２１は判定部２３が原稿情報の印刷を許可しない場合（ステップＳ２５、Ｎｏ、及びステップＳ２６、Ｎｏ）、当該原稿情報に秘匿情報の指定があるときは、秘匿情報を識別できないように画像処理した原稿情報を画像処理装置１０に送信する。
【００４２】
最後に、第１実施形態の画像処理システム１００（画像処理装置１０及びサーバ装置２０）のハードウェア構成について説明する。図８は第１実施形態の画像処理装置１０のハードウェア構成の一例を示す図である。第１実施形態の画像処理装置１０は、ＣＰＵ（Ｃｅｎｔｒａｌ  Ｐｒｏｃｅｓｓｉｎｇ  Ｕｎｉｔ）３１、ＲＡＭ（Ｒａｎｄｏｍ  Ａｃｃｅｓｓ  Ｍｅｍｏｒｙ）３２、ＲＯＭ（Ｒｅａｄ  Ｏｎｌｙ  Ｍｅｍｏｒｙ）３３、ＮＶＲＡＭ（Ｎｏｎ  Ｖｏｌａｔｉｌｅ  ＲＡＭ）３４、エンジン制御部３５、スキャン／プリントエンジン３６、ディスクドライバ３７、記憶媒体３８、外部Ｉ／Ｆ３９、モデム４０及び通信制御部４１を備える。ＣＰＵ３１、ＲＡＭ３２、ＲＯＭ３３、ＮＶＲＡＭ３４、エンジン制御部３５、ディスクドライバ３７、外部Ｉ／Ｆ３９、モデム４０及び通信制御部４１は、データバス４２を介して互いに接続されている。
【００４３】
ＣＰＵ３１は画像処理装置１０の動作を制御する。ＲＡＭ３２は一時的な記憶領域であり、画像処理装置１０の電源ＯＦＦ時に記憶内容が消去される。ＲＯＭ３３は、読み取り専用の記憶領域であり、プログラム、フォント、及びその他の静的なデータを記憶し、画像処理装置１０の電源ＯＦＦ時にも記憶内容が保持される。ＮＶＲＡＭ３４は、画像処理装置１０の設定情報などを記憶し、画像処理装置１０の電源ＯＦＦ時にも記憶内容が保持される。エンジン制御部３５はスキャン／プリントエンジン３６の動作を制御する。スキャン／プリントエンジン３６は、イメージデータの入出力ユニットとして、原稿の読み取りと転写紙への印刷を行う。ディスクドライバ３７は記憶媒体３８にデータを書き込む時、又は読み込む時の動作を制御する。記憶媒体３８は、大量のイメージデータ、及びデータベースの記憶領域である。外部Ｉ／Ｆ３９は、セントロニクス等のインターフェースを用いて他の装置と通信する。モデム４０は、公衆電話回線と接続され、他の装置と通信する。通信制御部４１は、イーサネット(登録商標)や無線ＬＡＮ等によりネットワーク３０に接続され、ネットワーク３０に接続された他の装置と通信する。
【００４４】
図９は第１実施形態のサーバ装置２０のハードウェア構成の一例を示す図である。第１実施形態のサーバ装置２０は、制御装置５１、主記憶装置５２、補助記憶装置５３、表示装置５４、入力装置５５及び通信装置５６を備える。制御装置５１、主記憶装置５２、補助記憶装置５３、表示装置５４、入力装置５５及び通信装置５６は、バス５７を介して互いに接続されている。
【００４５】
制御装置５１は補助記憶装置５３から主記憶装置５２に読み出されたプログラムを実行する。主記憶装置５２はＲＯＭやＲＡＭ等のメモリである。補助記憶装置５３はＨＤＤ（Ｈａｒｄ  Ｄｉｓｋ  Ｄｒｉｖｅ）やメモリカード等である。表示装置５４はサーバ装置２０の状態などを表示する。入力装置５５はユーザーからの入力を受け付ける。通信装置５６はネットワーク３０に接続するためのインターフェースである。
【００４６】
第１実施形態のサーバ装置２０で実行されるプログラムは、インストール可能な形式又は実行可能な形式のファイルでＣＤ−ＲＯＭ、メモリカード、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【００４７】
また、第１実施形態のサーバ装置２０で実行されるプログラムを、インターネット等のネットワークに接続されたコンピュータ上に格納し、ネットワーク経由でダウンロードさせることにより提供するように構成してもよい。また、第１実施形態のサーバ装置２０で実行されるプログラムをインターネット等のネットワーク経由でダウンロードさせずに提供するように構成してもよい。
【００４８】
また、第１実施形態のサーバ装置２０のプログラムを、ＲＯＭ等に予め組み込んで提供するように構成してもよい。
【００４９】
第１実施形態のサーバ装置２０で実行されるプログラムは、上述した各機能ブロック（通信部２１、判定部２３、画像処理部２４及び通知部２５）を含むモジュール構成となっている。当該各機能ブロックは、実際のハードウェアとしては、制御装置５１が上記記憶媒体からプログラムを読み出して実行することにより、上記各機能ブロックが主記憶装置５２上にロードされる。すなわち、上記各機能ブロックは、主記憶装置５２上に生成される。
【００５０】
なお、上述した各部（通信部２１、判定部２３、画像処理部２４及び通知部２５）の一部又は全部を、ソフトウェアにより実現せずに、ＩＣ（Ｉｎｔｅｇｒａｔｅｄ  Ｃｉｒｃｕｉｔ）等のハードウェアにより実現してもよい。
【００５１】
以上説明したように、第１実施形態の画像処理システム１００は、判定部２３が原稿情報を読み取った読取部１１の第１の位置情報の一部又は全部が、原稿情報を印刷する印刷部１４の第２の位置情報の一部又は全部と一致した場合、原稿情報の印刷を許可する。これにより任意の画像処理装置１０で原稿情報を印刷できないため、原稿情報に含まれている秘匿情報が漏洩するリスクを抑えることができる。
【００５２】
（第２実施形態）
次に第２実施形態の画像処理システム１００について説明する。第２実施形態の説明では、第１実施形態の画像処理装置１０を、後述の本体部１と、後述の操作部１２とにより実現する場合について説明する。
【００５３】
図１０は第２実施形態の画像処理装置１０のハードウェア構成の例を示す図である。図１０に示すように、画像処理装置１０は、本体部１と操作部１２とを備える。本体部１は、コピー機能、スキャナー機能、ファクス機能、プリンタ機能等の各種の機能を実現する。操作部１２は、ユーザーの操作に応じた情報を受け付ける。なおユーザーの操作に応じた情報は、例えば画面の座標値を示す信号等である。
【００５４】
本体部１及び操作部１２は、接続ＩＦ１９、専用の通信路３００及び接続ＩＦ１２６を介して相互に通信可能に接続されている。通信路３００は、例えばＵＳＢ（Ｕｎｉｖｅｒｓａｌ  Ｓｅｒｉａｌ  Ｂｕｓ）規格を用いることができるが、有線か無線かを問わず任意の規格のものでもよい。
【００５５】
本体部１は、操作部１２で受け付けた操作に応じた動作を行う。また、本体部１は、ＰＣ等の外部装置とも通信可能であり、外部装置から受信した指示（印刷指示等）に応じた動作を行うこともできる。
【００５６】
まず本体部１のハードウェア構成について説明する。図１０に示すように、本体部１は、読取部１１、通信部１３、印刷部１４、ＣＰＵ１５、ＲＯＭ１６、ＲＡＭ１７、ＨＤＤ１８及び接続ＩＦ１９を備える。読取部１１、通信部１３、印刷部１４、ＣＰＵ１５、ＲＯＭ１６、ＲＡＭ１７、ＨＤＤ１８及び接続ＩＦ１９はシステムバス９を介して相互に接続されている。
【００５７】
読取部１１はコピー機能、スキャナー機能及びファクス機能を実現させるための処理を行うハードウェアである。読取部１１は、例えば原稿の画像をスキャンして読み取るスキャナー等を備えている。
【００５８】
通信部１３は、ネットワーク３０と接続するためのインターフェースである。
【００５９】
印刷部１４は、プリンタ機能を実現させるための処理を行うハードウェアである。印刷部１４は、例えば用紙等のシート材への印刷を行うプロッタ等を備えている。印刷部１４は、更に、印刷済みシート材を仕分けるフィニッシャーや、原稿を自動給送するＡＤＦ（自動原稿給送装置）のような特定のオプションを実現するためのハードウェアを備えていてもよい。
【００６０】
ＣＰＵ１５は本体部１の動作を統括的に制御する。ＣＰＵ１５はＲＡＭ１７をワークエリア（作業領域）としてＲＯＭ１６又はＨＤＤ１８等に格納されたプログラムを実行することで、本体部１全体の動作を制御し、上述したコピー機能、スキャナー機能、ファクス機能、プリンタ機能等の各種機能を実現する。
【００６１】
接続ＩＦ１９は、通信路３００を介して操作部１２と通信するためのインターフェースである。
【００６２】
次に操作部１２のハードウェア構成について説明する。図１０に示すように、操作部１２は、ＣＰＵ１２１、ＲＯＭ１２２、ＲＡＭ１２３、フラッシュメモリ１２４、通信部１２５、接続ＩＦ１２６、操作パネル１２７及び外部接続ＩＦ１２８を備える。ＣＰＵ１２１、ＲＯＭ１２２、ＲＡＭ１２３、フラッシュメモリ１２４、通信部１２５、接続ＩＦ１２６、操作パネル１２７及び外部接続ＩＦ１２８はシステムバス１２９を介して相互に接続されている。
【００６３】
ＣＰＵ１２１は操作部１２の動作を統括的に制御する。ＣＰＵ１２１はＲＡＭ１２３をワークエリア（作業領域）としてＲＯＭ１２２又はフラッシュメモリ１２４等に格納されたプログラムを実行することで、操作部１２全体の動作を制御し、ユーザから受け付けた入力に応じた情報（画像）の表示等を実現する。
【００６４】
通信部１２５は、ネットワーク３０と接続するためのインターフェースである。接続ＩＦ１２６は、通信路３００を介して本体部１と通信するためのインターフェースである。
【００６５】
操作パネル１２７はユーザの操作に応じた各種の入力を受け付けるとともに、各種の情報（例えば受け付けた操作に応じた情報、画像処理装置１０の動作状況を示す情報、設定状態などを示す情報等）を表示する。操作パネル１２７は、タッチパネル機能を搭載した液晶表示装置（ＬＣＤ）で構成されるが、液晶表示装置に限られるものではない。例えばタッチパネル機能が搭載された有機ＥＬ表示装置で構成されてもよい。なお操作部１２は、ユーザインターフェースとして更にハードウェアキー（ボタン）、及び、ランプ等の表示部を備えていてもよい。
【００６６】
外部接続ＩＦ１２８は、スマートデバイス等の他の装置と接続するために使用されるＮＦＣ（Ｎｅａｒ  Ｆｉｅｌｄ  Ｃｏｍｍｕｎｉｃａｔｉｏｎ）等のインターフェースである。
【００６７】
なお読取部１１、操作部１２、通信部１３及び印刷部１４の詳細な動作方法は、第１実施形態の画像処理装置１０と同様（図２参照）なので説明を省略する。またサーバ装置２０の説明は、第１実施形態のサーバ装置２０の説明と同様（図４参照）なので省略する。また第２実施形態の画像処理システム１００の画像処理方法は、第１実施形態の画像処理システム１００の画像処理方法と同様（図６及び図７参照）なので説明を省略する。
【００６８】
以上説明したように、第２実施形態の画像処理装置１０では、本体部１のハードウェアが、操作部１２のハードウェアと独立している。これにより第２実施形態の画像処理装置１０は、開発に係るコスト面、並びに、画像処理に係る設定データ及びプログラムのアップデートなどの管理面などで利点がある。
【符号の説明】
【００６９】
１０  画像処理装置
１１  読取部
１２  操作部
１３  通信部
１４  印刷部
２０  サーバ装置
２１  通信部
２２  記憶部
２３  判定部
２４  画像処理部
２５  通知部
１００  画像処理システム
【先行技術文献】
【特許文献】
【００７０】
【特許文献１】特開２００７−１０８９７６号公報
【図１】
2015128280.tif 000003
【図２】
2015128280.tif 000004
【図３】
2015128280.tif 000005
【図４】
2015128280.tif 000006
【図５】
2015128280.tif 000007
【図６】
2015128280.tif 000008
【図７】
2015128280.tif 000009
【図８】
2015128280.tif 000010
【図９】
2015128280.tif 000011
【図１０】
2015128280.tif 000012